(57)【特許請求の範囲】
【請求項１】
結像される被写体像の画素情報を電荷転送により読み出し可能な撮像素子を有する撮像装置において、
１段目まで押し込むと第１トリガを発生し、さらに２段目まで押し込むと第２トリガを発生するレリーズスイッチと、
前記レリーズスイッチから前記第１トリガが発生するまでは、前記撮像素子から垂直方向のｍ（ｍは正の整数）ライン毎にｎ（ｎは正の整数でｍ＞ｎ）ラインを間引きして加算して読み出した画素情報に基づいて動画を表示する表示手段と、
前記レリーズスイッチから前記第１トリガが発生した後、前記撮像素子から垂直方向のｐ（ｐは正の整数）ライン毎に１ラインを間引きして読み出した画素情報に基づいて、前記撮像素子に結像される被写体像の測光を行うＡＥ制御手段と、
前記レリーズスイッチから前記第２トリガが発生した後、前記撮像素子から読み出した全画素情報を、静止画データとして記録媒体に出力する出力手段と、
を有することを特徴とする撮像装置。
【請求項２】
前記レリーズスイッチから前記第１トリガが発生した後、前記撮像素子の垂直方向に予め設定した一部連続するｋ（ｋは正の整数）ラインに対して、ｌ（ｌは正の整数ｋ＞ｌ）ラインにつきｎ（ｎは正の整数でｌ＞ｎ）ラインを間引きして加算して読み出した画素情報に基づいて、オートフォーカス制御を行うＡＦ制御手段をさらに有することを特徴とする請求項１に記載の撮像装置。
【請求項３】
結像される被写体像の画素情報を電荷転送により読み出し可能な撮像素子を有する撮像装置において、
１段目まで押し込むと第１トリガを発生し、さらに２段目まで押し込むと第２トリガを発生するレリーズスイッチと、
前記レリーズスイッチから前記第１トリガが発生するまでは、前記撮像素子から垂直方向のｍ（ｍは正の整数）ライン毎にｎ（ｎは正の整数でｍ＞ｎ）ラインを間引きして加算して読み出した画素情報に基づいて動画を表示する表示手段と、
前記レリーズスイッチから前記第１トリガが発生した後、前記撮像素子の垂直方向に予め設定した一部連続するｋ（ｋは正の整数）ラインに対して、ｌ（ｌは正の整数ｋ＞ｌ）ラインにつき１ラインを間引きして読み出した画素情報に基づいて、測光を行うＡＥ制御手段と、
前記レリーズスイッチから前記第１トリガが発生した後、前記撮像素子の垂直方向に予め設定した一部連続するｋ（ｋは正の整数）ラインに対して、ｌ（ｌは正の整数ｋ＞ｌ）ラインにつき１ラインを間引きして読み出した画素情報に基づいて、オートフォーカス制御を行うＡＦ制御手段と、
前記レリーズスイッチから前記第２トリガが発生した後、前記撮像素子から読み出した全画素情報を、静止画データとして記録媒体に出力する出力手段と、
を有することを特徴とする撮像装置。
【発明の詳細な説明】
【０００１】
【発明の属する技術分野】
この発明は、撮像素子から画素信号を取り出して静止画を記録したり、動画処理を行う撮像装置に関するものである。
【０００２】
【従来の技術】
この種の撮像装置に用いられる撮像素子は、従来種々のものが提案されており、例えば、図１２に模式的に示すように、縦型オーバーフロードレイン構造をもつインターライン形ＣＣＤの固体撮像素子が知られている。このＣＣＤは、水平方向および垂直方向に二次元的に配列され、光の入射により電荷の蓄積を行うフォトダイオード２１と、このフォトダイオード２１に蓄積された電荷をトランスファーゲート２２を介して受け取った後に、垂直方向に順次転送する垂直転送路２３と、この垂直転送路２３により転送される電荷を水平方向に順次転送する水平転送路２４と、この水平転送路２４の出力信号を増幅して出力する信号検出器２５とを有している。
【０００３】
このようなＣＣＤは、近年の微細加工技術の進歩に伴って高画素化が進んでいることから、最近では高画素数のＣＣＤを内蔵する種々の撮像装置が提案されている。しかしながら、例えば、電子スチールカメラのような携帯用の撮像装置においては、高画素数のＣＣＤを用いても、消費電力やコスト等の観点から、ＣＣＤの駆動周波数をあまり高くできず、一般には２０ＭＨｚ以下で駆動するようにしている。したがって、例えば、１００万画素相当のＣＣＤを用いた場合には、毎秒１０〜１５フレーム程度のコマ数しか得られないことになる。
【０００４】
しかし、この程度のコマ数では、例えば、撮像装置にＣＣＤで撮像した動画像を表示する液晶表示装置を設ける場合や、ＣＣＤからの動画データを用いてオートフォーカス制御（ＡＦ）、自動露出制御（ＡＥ）、オートホワイトバランス制御（ＡＷＢ）等を行う場合には、不都合が生じることになる。
【０００５】
すなわち、液晶表示装置に動画像を表示する場合には、毎秒６０コマ程度の画像データを供給しないと良好な動画像を表示することができない。そこで、従来は、ＣＣＤからの画像データを記憶するメモリを設け、このメモリに記憶された同一フレームのデータを、例えば１／６０秒のフレーム周期で複数回繰り返し読み出して液晶表示装置に供給して表示するようにしている。したがって、この場合には、ＣＣＤから毎秒１０コマの割合で画像データが得られるとすると、同一コマの画像が６回繰り返し表示されることになる。しかし、このように表示用にコマ数を調整するためだけに、高価なメモリを設けるのは、コスト的に不利となる。
【０００６】
また、電子スチールカメラのように静止画の撮影を行う場合には、シャッタチャンス等を逃さないことが重要であるが、そのためには上記のＡＦ、ＡＥ、ＡＷＢ等の処理に用いる制御用データを高速で得る必要がある。しかし、毎秒１０コマ程度の画像データしか得られないと、例えば、ＡＦにおいては、１コマ分の画像データを用いて必ず合焦させることができるとは限らず、複数コマを用いてＡＦ動作を行うことになるため、ＡＦ、ＡＥ、ＡＷＢ等の処理を順次に行ったのでは、処理に長時間を要し、レリーズタイムラグが長くなって、シャッタチャンス等を逃がしてしまう場合がある。そこで、従来は、これらの処理を同時に平行して行うか、あるいは上述したようなメモリを設けて画像データを記憶することにより、これらの処理を順次行うようにしている。しかし、前者のようにＡＦ、ＡＥ、ＡＷＢ等の処理を同時に平行して行う場合には、回路規模が大きくなると共に、コスト的に不利となり、また後者のように処理用のためにメモリを設けることもコスト的に不利となる。
【０００７】
このような不具合を解決する方法として、上記のように液晶表示装置に動画像を表示したり、ＡＦ、ＡＥ、ＡＷＢ等の制御用データを得る動画処理モードでは、ＣＣＤの水平画素ラインを間引きして読み出しすることが提案されている。しかし、全画素を読み出してカラー画像信号を得るＣＣＤの場合には、一般には、図１３に示すように、奇数ラインが、例えば赤（Ｒ）と緑（Ｇ）との繰り返しパターン、偶数ラインが、例えばＧと青（Ｂ）との繰り返しパターンからなるベイヤー配列の色差線順次形式の色フィルタが用いられるため、間引き読み出しによって、例えば奇数ラインのみを読み出すとＢの色信号が欠落し、また偶数ラインのみを読み出すとＲの色信号が欠落することになる。このため、特に、液晶表示装置に表示する場合に、正確なカラー画像を表示できなくなるという問題が生じることになる。
【０００８】
そこで、本出願人は、上述した種々の問題点を解決し、高い駆動周波数を用いることなく、動画処理モードにおいて撮像素子から単位時間当たりに多くのコマ数の画像データが得られる撮像装置を既に提案している（特願平９−７８３１号）。この撮像装置では、動画処理モードにおけるＣＣＤからの画素情報の読み出しモードとして、ＣＣＤが水平方向の画素の並びであるラインを、垂直方向に１ライン目からＬライン目まで有するものとすると、例えば図１４（Ａ）に示すように、全ラインに対してｍ（ｍ≧３、ｍは整数）ラインにつきｎ（ｎ≧２、ｎは整数）ラインを加算して取り出すｎライン加算間引き読み出しモードと、図１４（Ｂ）に示すように、垂直方向に一部連続するｋ（ｋ≧６、ｋは整数）ラインについて、図１４（Ａ）と同様に、ｍラインにつきｎラインを加算して取り出すｋラインｎライン加算間引き読み出しモードとを設定し、これらのモードをレリーズボタンの操作に基づいて選択して動画データを得るようにしている。なお、ここでは、ｍ＝３、ｎ＝２とし、ｍ＝３の各ライン群の中で１番目のラインと３番目のラインとを加算している。
【０００９】
すなわち、図１４（Ａ）に示すｎライン加算間引き読み出しモードでは、１ライン目からＬライン目までの全ラインに対して、１ライン目から３ライン目までの３つのラインのうちの１ライン目と３ライン目とを加算して読み出しを行い、続く４ライン目から６ライン目までの３つのラインのうちの４ライン目と６ライン目とを加算して読み出しを行う。以後、同様の加算間引き読み出しを、最終のＬライン目を含むＬ−２，Ｌ−１，Ｌの３つのラインに対して、Ｌ−２ライン目とＬライン目とを加算して読み出すまで行う。したがって、このｎライン加算間引き読み出しモードで読み出されるライン数は、Ｌ／ｍとなる。
【００１０】
また、図１４（Ｂ）に示すｋラインｎライン加算間引き読み出しモードでは、垂直方向に連続するｋラインを予め設定し、その設定されたｋラインに対して、図１４（Ａ）と同様にしてｍラインにつきｎラインの加算間引き読み出しを行う。したがって、この場合に読み出されるライン数は、ｋ／ｍとなる。
【００１１】
以下、このように３ライン（ｍ＝３）につき２ライン（ｎ＝２）を加算して１ラインの画素情報を得るｎライン加算間引き読み出し動作について、図１２に示したインターライン型のＣＣＤを例にとって、図１５を参照して説明する。なお、図１５において、ＧA,ＧB,ＧC,ＢA,ＢB,ＢC,ＲA,ＲB,ＲC は、それぞれ図１３に示したベイヤー配列の色フィルタに対応するフォトダイオード２１を示し、これらフォトダイオード２１の右隣に位置する縦のラインは垂直転送路２３を示し、これら垂直転送路２３の下端側に水平方向に位置するラインは水平転送路２４を示している。
【００１２】
先ず、露光が終了するタイミングで、ＧA,ＧB,ＧC,ＢA,ＢB,ＢC,ＲA,ＲB,ＲC のフォトダイオード２１のうち、サフィックスＡおよびＣのフォトダイオード２１から、図中、楕円で示すような電荷を対応する垂直転送路２３に移送する。その後、各垂直転送路２３において、水平転送路２４に向けて電荷を転送する。この垂直転送動作は、この場合ｍ＝３であるから、３回の転送を１単位として行い、これによりサフィックスＡが付いたフォトダイオード２１からの電荷と、サフィックスＣが付いたフォトダイオード２１からの電荷とを加算する。
【００１３】
例えば、図１５において、一番左下のｍ＝３の部分では、ＲA,ＧB,ＲC の３つのフォトダイオード２１のうち、ＲA およびＲC のフォトダイオード２１の電荷を垂直転送路２３に移送したら、垂直方向に１回目の転送を行って、先ずＲC のフォトダイオード２１からの電荷を水平転送路２４に転送すると共に、ＲA のフォトダイオード２１からの電荷をＧB のフォトダイオード２１の隣となる垂直転送路２３内の位置に転送する。次に、垂直方向に２回目の転送を行って、ＲC のフォトダイオード２１からの電荷を水平転送路２４内に保持した状態で、ＲA のフォトダイオード２１からの電荷をＲC のフォトダイオード２１の隣となる垂直転送路２３内の位置に転送する。その後、垂直方向に３回目の転送を行って、ＲC のフォトダイオード２１からの電荷を水平転送路２４内に保持した状態で、ＲA のフォトダイオード２１からの電荷を水平転送路２４内に転送して、水平転送路２４内でＲA およびＲC のフォトダイオード２１からの電荷を加算する。
【００１４】
このようにして加算された電荷は、水平転送路２４から順に読み出して、１ラインの画素情報を得る。以後、同様にして、３回の垂直転送毎に１回の水平転送路２４の読み出しを行って、３つのラインのうちの２つのラインの電荷を加算した画素情報を得る。
【００１５】
このように加算間引き読み出しを行えば、ベイヤー配列の色フィルタが設けられている場合には、図１６に示すように、Ｒの情報を含むライン（ＣＲ）である１ライン目と３ライン目とが加算されて出力され、次に、Ｂの情報を含むライン（ＣＢ）である４ライン目と６ライン目とが加算されて出力され、以後同様に、Ｒの情報を含むライン出力とＢの情報を含むライン出力とが繰り返し得られるので、色信号を線順次で得ることができる。
【００１６】
本出願人が先に提案した撮像装置では、レリーズボタンの操作により、撮影者が静止画像を撮りたいと考えてレリーズボタンを軽く押す記録の準備段階で第１トリガを発生させ、その状態から静止画像の記録を開始するためにさらにレリーズボタンを押し込むことにより第２トリガを発生させるようにして、図１７に示すように、第１トリガが発生するまでは、図１４（Ａ）に示すｎライン加算間引き読み出しモードを選択し、これにより例えば１／６０秒の垂直同期信号（ＶＤ）に同期してｎライン加算間引き読み出しを行って、その動画データを液晶表示装置に供給して表示すると共に、制御用データとして用いてＡＥ制御およびＡＷＢ制御を１フレーム毎に交互に繰り返し行う。
【００１７】
この状態で、第１トリガが発生したら、次のフレームからは図１４（Ｂ）に示すｋラインｎライン加算間引き読み出しモードを選択し、これによりＶＤに同期して１フレーム期間に２回のｋラインｎライン加算間引き読み出しを行い、その各読み出し動作で得られる画像データをＡＦ用の制御データとして用いてＡＦ制御を行う。その後、第２トリガが発生したら、第１トリガが発生するまでに行ったＡＥ制御結果に基づく本露光を行って、次のフレームから全画面の全ラインについて、例えばＶＤの６コマ分となる毎秒１０フレームのレートで順次走査を行い、その静止画像を図示しない記録媒体に記録する。この静止画像の記録が終了したら、次の撮影に備えるために、再びｎライン加算間引き読み出しモードを選択して、ＶＤに同期してｎライン加算間引き読み出しを行い、その動画データを液晶表示装置に供給して表示すると共に、制御用データとして用いてＡＥ制御およびＡＷＢ制御を１フレーム毎に交互に繰り返し行う。
【００１８】
【発明が解決しようとする課題】
上述した本出願人の先の提案に係る撮像装置によれば、動画処理モードでは、ＣＣＤの全ラインを所定の読み出し周波数で順次走査して画素情報を読み出す場合に比べて、図１４（Ａ）示したｎライン加算間引き読み出しモードでは、フレームレートをｍ倍に向上でき、図１４（Ｂ）に示したｋラインｎライン加算間引き読み出しモードでは、フレームレートをｍ×（Ｌ／ｋ）倍に向上することができるので、高い駆動周波数を用いることなく、ＣＣＤから単位時間当たりに多くのコマ数の画像データを得ることができる。したがって、従来のように表示用として高価なメモリを用いることなく、液晶表示装置に良好な動画を表示することができるので、コスト的に有利となる。また、動画データを用いてＡＦ，ＡＥ，ＡＷＢ等の処理を行う場合でも、それらの処理をメモリを用いることなく行うことが可能となるので、回路規模の面でも、コスト面でも有利になる。さらに、第１トリガが発せられた段階では、既にＡＥおよびＡＷＢが終了し、第１トリガから第２トリガまでの期間においては、フレームレートの高いｋラインｎライン加算間引き読み出しモードでＡＦのみを行うので、この期間を短くでき、したがってレリーズタイムラグを短縮することができる。
【００１９】
しかも、ｎライン加算間引き読み出しモードにおいて、ｍ＝３、ｎ＝２として、ｍ＝３の各ライン群の中で１番目のラインの画素情報と３番目のラインの画素情報とを加算することで、ベイヤー配列の色フィルタが設けられている場合には、図１６に示したように、色信号を線順次で得ることができるので、液晶表示装置に表示する際に、Ｒの情報を含むラインとＢの情報を含むラインとで同時化を行ってライン情報を補間する場合に、例えばＲの情報を含む３ライン目とＢの情報を含む４ライン目とはＣＣＤ上で互いに隣り合い、相関性の高いデータを得ることができる。したがって、読み出しライン数が少なくても画質の良好な画像を表示することができる。
【００２０】
しかしながら、本発明者による種々の検討によれば、上述した本出願人の先の提案に係る撮像装置には、以下に説明するような改良すべき点があることが判明した。すなわち、上述した撮像装置では、静止画像を記録するにあたっての本露光のためのＡＥおよびＡＷＢを、第１トリガが発するまでのｎライン加算間引き読み出しモードで読み出した画像データを用いる制御結果に基づいて制御している。この場合、上記のようにｎ＝２とすると、ＡＥ制御やＡＷＢ制御の際には、その読み出された画素情報を１／２して１画素の画素情報を求める必要があるため、処理が複雑になる。
【００２１】
また、加算して読み出される画素情報は、理論的には２画素分の電荷量の和であるが、ＣＣＤ等の電荷転送型の撮像素子においては、一般に、加算された電荷量まで対応してポテンシャル設計がなされていない等の原因により、加算間引き読み出しでは転送効率が悪くなり、実際には２画素分の電荷量の和よりも少なくなる。例えば、静止画像の記録時におけるように、加算間引き読み出しを行わない場合の１画素の電荷量をｑ、その場合の転送効率をε、２画素加算間引き読み出しの場合の転送効率をε′とすると、２画素加算間引き読み出しの場合には、ε′＜εとなって、読み出される電荷量（画素情報）Ｑは、Ｑ＝２ε′ｑとなる。このため、ＡＥ制御やＡＷＢ制御の際に、その読み出された電荷量Ｑを１／２して１画素の電荷量ｑｘを求めると、ｑｘ＝ε′ｑとなって、静止画記録時との間に、（ε−ε′）ｑの露光誤差が生じ、適正なＡＥ制御やＡＷＢ制御ができなくなる。
【００２２】
この発明は、上記の点に鑑みてなされたもので、レリーズタイムラグを短くできると共に、簡単な処理で適正なＡＥ制御やＡＷＢ制御ができるよう適切に構成した撮像装置を提供することを目的とするものである。
【００２３】
【課題を解決するための手段】
上記目的を達成するため、第１の発明は、結像される被写体像の画素情報を電荷転送により読み出し可能な撮像素子を有する撮像装置において、１段目まで押し込むと第１トリガを発生し、さらに２段目まで押し込むと第２トリガを発生するレリーズスイッチと、前記レリーズスイッチから前記第１トリガが発生するまでは、前記撮像素子から垂直方向のｍ（ｍは正の整数）ライン毎にｎ（ｎは正の整数でｍ＞ｎ）ラインを間引きして加算して読み出した画素情報に基づいて動画を表示する表示手段と、前記レリーズスイッチから前記第１トリガが発生した後、前記撮像素子から垂直方向のｐ（ｐは正の整数）ライン毎に１ラインを間引きして読み出した画素情報に基づいて、前記撮像素子に結像される被写体像の測光を行うＡＥ制御手段と、前記レリーズスイッチから前記第２トリガが発生した後、前記撮像素子から読み出した全画素情報を、静止画データとして記録媒体に出力する出力手段と、を有することを特徴とするものである。
【００２４】
第２の発明は、前記第１の発明において、前記撮像装置は、前記レリーズスイッチから前記第１トリガが発生した後、前記撮像素子の垂直方向に予め設定した一部連続するｋ（ｋは正の整数）ラインに対して、ｌ（ｌは正の整数ｋ＞ｌ）ラインにつきｎ（ｎは正の整数でｌ＞ｎ）ラインを間引きして加算して読み出した画素情報に基づいて、オートフォーカス制御を行うＡＦ制御手段をさらに有することを特徴とするものである。
【００２５】
さらに、上記目的を達成するために、第３の発明は、結像される被写体像の画素情報を電荷転送により読み出し可能な撮像素子を有する撮像装置において、１段目まで押し込むと第１トリガを発生し、さらに２段目まで押し込むと第２トリガを発生するレリーズスイッチと、前記レリーズスイッチから前記第１トリガが発生するまでは、前記撮像素子から垂直方向のｍ（ｍは正の整数）ライン毎にｎ（ｎは正の整数でｍ＞ｎ）ラインを間引きして加算して読み出した画素情報に基づいて動画を表示する表示手段と、前記レリーズスイッチから前記第１トリガが発生した後、前記撮像素子の垂直方向に予め設定した一部連続するｋ（ｋは正の整数）ラインに対して、ｌ（ｌは正の整数ｋ＞ｌ）ラインにつき１ラインを間引きして読み出した画素情報に基づいて、測光を行うＡＥ制御手段と、前記レリーズスイッチから前記第１トリガが発生した後、前記撮像素子の垂直方向に予め設定した一部連続するｋ（ｋは正の整数）ラインに対して、ｌ（ｌは正の整数ｋ＞ｌ）ラインにつき１ラインを間引きして読み出した画素情報に基づいて、オートフォーカス制御を行うＡＦ制御手段と、前記レリーズスイッチから前記第２トリガが発生した後、前記撮像素子から読み出した全画素情報を、静止画データとして記録媒体に出力する出力手段と、を有することを特徴とするものである。
【００３２】
【発明の実施の形態】
以下、この発明の実施の形態について図面を参照して説明する。
図１〜図５は、この発明の第１実施形態を説明するための図である。この撮像装置は、基本的には静止画を撮像して記録することを主目的としたもので、図１にブロック図を示すように、レンズおよび絞り１７を介して入射した被写体像を電気信号に変換する図１２に示した構成のＣＣＤ１と、このＣＣＤ１の出力からリセット雑音等を除去するための相関二重サンプリング回路（ＣＤＳ）２と、このＣＤＳ２の出力のゲインを調節するゲインコントロールアンプ（ＡＭＰ）３と、このＡＭＰ３の出力信号をデジタル信号に変換するアナログデジタル変換器（Ａ／Ｄ）４と、デジタル信号に変換された画像信号に各種の処理を施すプロセス処理回路５と、ＣＣＤ１を駆動するための各種の転送パルス等の駆動信号を出力すると共に、ＣＤＳでのサンプルホールド用のパルスを出力し、さらにＡ／Ｄ４でＡ／Ｄ変換を行うためのタイミングパルスを出力するタイミングジェネレータ（ＴＧ）６と、このＴＧ６と後述するＣＰＵ８との同期をとるための信号を発生するシグナルジェネレータ（ＳＧ）７と、ＣＣＤ１の読み出し制御手段を構成すると共に、撮像装置全体についてタイミング等を含む各種の制御を行う例えばマイクロコンピュータからなるＣＰＵ８と、プロセス処理回路５から出力されるＣＣＤ１の画素データや、後述する記録媒体１６から圧縮伸長回路１５を経て供給される画像データを蓄積するメモリを構成するＤＲＡＭ９と、レンズおよび絞り１７によるオートフォーカスを制御するためのオートフォーカス回路（ＡＦ）１０と、ＣＣＤ１に結像される被写体像の測光を行うための自動露出制御回路（ＡＥ）１１と、ホワイトバランス自動的に制御するためのオートホワイトバランス回路（ＡＷＢ）１２と、この撮像装置に内蔵されているモニタである液晶表示装置１３と、外部のモニタ等の表示装置に画像信号等を出力するための外部表示用端子１４と、ＤＲＡＭ９に蓄積された１フレーム分の画像データを後述する記録媒体１６にデータ量を減らして記録するために圧縮し、また該記録媒体１６から読み出した圧縮された画像データを伸長する圧縮伸長回路１５と、静止画データを記録する記録媒体１６とを有する。
【００３３】
また、ＣＰＵ８には、レリーズボタン（図示せず）を１段目まで押し込むことにより第１トリガを発生するファーストレリーズスイッチ（１ＲＳＷ）１８ａ、２段目まで押し込むことにより第２トリガを発生するセカンドレリーズスイッチ（２ＲＳＷ）１８ｂの他、被写体が低輝度の場合に、静止画撮影時に被写体を照明するストロボ装置１９が接続されている。
【００３４】
かかる撮像装置において、記録媒体１６に画像を記録する際には、ＣＣＤ１から、ＣＤＳ２、ＡＭＰ３、Ａ／Ｄ４およびプロセス処理回路５を介して出力される画像データが、例えば液晶表示装置１３に供給されて表示される。これにより、撮影者は、液晶表示装置１３を見ながら被写体の構図等を決定することができる。この状態で、レリーズボタンが押されると、プロセス処理回路５からＤＲＡＭ９を介して圧縮伸長回路１５に供給されている画像データが圧縮されて記録媒体１６に記録される。
【００３５】
また、記録媒体１６に記録されている画像データを再生する際には、記録媒体１６から読み出された圧縮データが圧縮伸長回路１５で伸長処理されてＤＲＡＭ９に書き込まれ、このＤＲＡＭ９に書き込まれた画像データがプロセス処理回路５を介して液晶表示装置１３や、外部表示用端子１４を経て外部表示装置に供給されて静止画として再生される。
【００３６】
次に、ＣＣＤ１を駆動して画像データを得るための読み出し動作について説明する。なお、ＣＣＤ１は、二次元画素配列の水平方向の画素の並びをラインとして、このラインが垂直方向に１ライン目からＬライン目まで並んでいるものとする。
【００３７】
この実施形態では、静止画像を記録する静止画記録モードでは、図２（Ａ）に示すように、ＣＣＤ１を最初の１ライン目から最終のＬライン目まで順次走査して、全画素に係る画素情報を順次読み出す。この読み出し動作は、いわゆるプログレッシブスキャニングと呼ばれるもので、フル画面エリアについて順次走査を行って全画素に係る情報を出力するので、静止画として高解像度の画像を得ることができる。
【００３８】
また、ＣＣＤ１で撮像した画像データを液晶表示装置１３に表示したり、その画像データを制御用データとして用いてＡＦ、ＡＥ、ＡＷＢ等を行う動画処理モードでは、図１４（Ａ）に示したｎライン加算間引き読み出しモードと、図１４（Ｂ）に示したｋラインｎライン加算間引き読み出しモードとの他に、図２（Ｂ）に示す非加算間引き読み出しモードを設定し、これらの読み出しモードをレリーズボタンの操作に基づいて選択して動画データを得る。
【００３９】
ここで、図２（Ｂ）に示す非加算間引き読み出しモードでは、ＣＣＤ１の全ラインに対して、ｍ（ｍ≧３、ｍは整数）ライン毎に１ラインの画素情報を取り出す。したがって、この読み出しモードでは、読み出されるライン数がＬ／ｍとなるので、全画素読み出す場合と比較して、フレームレートがｍ倍となる。
【００４０】
この実施形態では、動画処理モードにおいて、ｍ＝３、ｎ＝２とし、ｎライン加算間引き読み出しモードおよびｋラインｎライン加算間引き読み出しモードでは、ｍ＝３の各ライン群のうち１番目のラインと３番目のラインとの画素情報を加算して取り出し、非加算間引き読み出しモードでは、ｍ＝３の各ライン群のうち３番目のラインの画素情報を取り出すものとする。また、ｋラインｎライン加算間引き読み出しモードにおける連続するｋラインのエリアは、好ましくは、ＣＣＤ１のフル画面エリアの中央部分とする。すなわち、このモードで読み出した有効出力エリアの画像データは、後述するように、例えばＡＦ１０における処理で用いるが、このＡＦ処理ではフル画像エリアの中央部分の画像データを用いる中央重点処理が行われることが多いからである。
【００４１】
図３は、図２（Ｂ）に示す非加算間引き読み出しモードにおける読み出し動作を説明するための図である。なお、図３において、ＧA,ＧB,ＧC,ＢA,ＢB,ＢC,ＲA,ＲB,ＲC は、図１５の場合と同様、図１３に示したベイヤー配列の色フィルタに対応するフォトダイオード２１を示し、これらフォトダイオード２１の右隣に位置する縦のラインは垂直転送路２３を示し、これら垂直転送路２３の下端側に水平方向に位置するラインは水平転送路２４を示している。
【００４２】
この非加算間引き読み出しモードでは、先ず、露光が終了するタイミングで、ＧA,ＧB,ＧC,ＢA,ＢB,ＢC,ＲA,ＲB,ＲC のフォトダイオード２１のうち、サフィックスＣのフォトダイオード２１から、図中、楕円で示すような電荷を対応する垂直転送路２３に移送する。その後、３回の垂直転送毎に、１回目の垂直転送後に水平転送路２４の読み出しを行って、３つのラインのうちの１つのラインの画素情報を得る。
【００４３】
このような非加算間引き読み出しを行えば、ベイヤー配列の色フィルタが設けられている場合には、図４に示すように、Ｒの情報を含むライン（ＣＲ）出力とＢの情報を含むライン（ＣＢ）出力とを線順次で得ることができる。
【００４４】
図５は、第１実施形態の動作を説明するための図である。この実施形態では、第１トリガが発生するまでは、図１４（Ａ）に示したｎライン加算間引き読み出しモードを選択し、これにより例えば１／６０秒の垂直同期信号（ＶＤ）に同期してｎライン加算間引き読み出しを行い、その画素情報をＣＤＳ２、ＡＭＰ３、Ａ／Ｄ４およびプロセス処理回路５を介して液晶表示装置１３に供給して動画を表示すると共に、制御用データとしてＡＥ１１およびＡＷＢ１２に供給してＡＥ制御およびＡＷＢ制御を１フレーム毎に交互に繰り返し行う。
【００４５】
この状態で、１ＲＳＷ１８ａがオンとなって第１トリガが発生したら、次の１フレームで図２（Ｂ）に示す非加算間引き読み出しモードを選択し、これにより全ラインに対して３ライン毎に１ラインの画素情報を取り出して、ＣＤＳ２、ＡＭＰ３およびＡ／Ｄ４を経てプロセス処理回路５に供給し、その画像データをＡＥ制御用データとしてＡＥ１１に供給してＡＥ制御を行う。その後は、図１４（Ｂ）に示したｋラインｎライン加算間引き読み出しモードを選択し、これによりＶＤに同期して１フレーム期間に２回のｋラインｎライン加算間引き読み出しを行い、その各読み出し動作においてプロセス処理回路５から得られる画像データをＡＦ制御用データとしてＡＦ１０に供給してＡＦ制御を繰り返し行う。
【００４６】
上記の処理中に、２ＲＳＷ１８ｂがオンとなって第２トリガが発生したら、第１トリガ発生後の非加算間引き読み出しモードで読み出した画像データによるＡＥ制御に基づいて本露光を行い、次のフレームから図２（Ａ）に示すように全画面の全ラインについて順次走査を行って、プロセス処理回路５から得られる静止画像データをＤＲＡＭ９および圧縮伸長回路１５を経て圧縮して記録媒体１６に記録する。
【００４７】
この静止画像の記録が終了したら、次の撮影に備えるために、再びｎライン加算間引き読み出しモードを選択して、ＶＤに同期してｎライン加算間引き読み出しを行い、その動画データを液晶表示装置１３に供給して表示すると共に、制御用データとして用いてＡＥ制御およびＡＷＢ制御を１フレーム毎に交互に繰り返し行う。なお、この実施形態では、第１トリガが発生してから静止画記録が終了するまでに、ＣＣＤ１の読み出しモードが、非加算間引き読み出し、ｋラインｎライン加算間引き読み出し、および順次走査と変わるので、この間は液晶表示装置１３への表示を一時的に中断する。
【００４８】
この実施形態によれば、動画処理モードでは、ＣＣＤ１の全ラインを所定の読み出し周波数で順次走査して画素情報を読み出す場合に比べて、フレームレートを、ｎライン加算間引き読み出しモードでは３／２倍に、非加算間引き読み出しモードでは３倍に、ｋラインｎライン加算間引き読み出しモードでは、３Ｌ／２ｋ倍に向上することができるので、高い駆動周波数を用いることなく、ＣＣＤ１から単位時間当たりに多くのコマ数の画像データを得ることができる。
【００４９】
したがって、本願人が先に提案した撮像装置におけると同様に、表示用として高価なメモリを用いることなく、液晶表示装置１３に良好な動画を表示することができると共に、ＡＦ，ＡＥ，ＡＷＢ等の処理を行う場合でも、それらの処理をメモリを用いることなく行うことが可能となるので、回路規模の面でも、コスト面でも有利になる。また、第１トリガから第２トリガまでの期間においては、フレームレートの高い非加算間引き読み出しおよびｋラインｎライン加算間引き読み出しを行うので、この期間を短くでき、したがってレリーズタイムラグを短縮することができる。
【００５０】
しかも、第１トリガが発生した後の次のフレームで、非加算間引き読み出しモードを選択し、これにより得られた画像データに基づいてＡＥ制御を行い、このＡＥ制御結果に基づいて静止画像を記録する際の本露光を制御するようにしたので、上述したようにｎライン加算間引き読み出しモードでの画像データに基づいてＡＥ制御を行う場合のようなＣＣＤ１の転送効率の低下による露光誤差が生じないと共に、読み出した画素情報を１／２する処理も不要となる。したがって、静止画記録の際のＡＥを簡単な処理で適正に制御することができる。
【００５１】
また、この非加算間引き読み出しモードでは、ｍ＝３の各ライン群のうち３番目のラインの画素情報を取り出すことにより、上述したように、ベイヤー配列の色フィルタを設けた場合に色信号を線順次で得ることができるので、Ｒの情報を含むラインとＢの情報を含むラインとで同時化処理を行ってライン情報を補間することにより、より適正なＡＥ制御を行うことも可能になる。
【００５２】
図６および図７は、この発明の第２実施形態を説明するための図である。この実施形態の撮像装置の主要な構成は、図１と同様であるので、主として第１実施形態と異なる点について説明する。この実施形態では、動画処理モードとして、図１４（Ａ）に示したｎライン加算間引き読み出しモードと、図６に示すようなｋライン非加算間引き読み出しモードとを設定し、これらの読み出しモードをレリーズボタンの操作に基づいて選択して動画データを得る。
【００５３】
ここで、図６に示すｋライン非加算間引き読み出しモードは、ＣＣＤ１の垂直方向に一部連続するｋ（ｋ≧６、ｋは整数）ラインに対して、ｍ（ｍ≧３、ｍは整数）ライン毎に１ラインの画素情報を取り出す。したがって、この読み出しモードでは、読み出されるライン数がｋ／ｍとなるので、全画素読み出す場合と比較して、フレームレートがｍＬ／ｋ倍となる。
【００５４】
この実施形態では、動画処理モードにおいて、ｍ＝３、ｎ＝２とし、ｎライン加算間引き読み出しモードでは、ｍ＝３の各ライン群のうち１番目のラインと３番目のラインとの画素情報を加算して取り出し、ｋライン非加算間引き読み出しモードでは、ｍ＝３の各ライン群のうち３番目のラインの画素情報を取り出すものとする。また、ｋライン非加算間引き読み出しモードにおける連続するｋラインのエリアは、好ましくは、ＣＣＤ１のフル画面エリアの中央部分とする。
【００５５】
図７は、第２実施形態の動作を説明するための図である。この実施形態では、第１トリガが発生するまでは、第１実施形態と同様に、図１４（Ａ）に示したｎライン加算間引き読み出しモードを選択し、これにより垂直同期信号（ＶＤ）に同期してｎライン加算間引き読み出しを行い、その画素情報をＣＤＳ２、ＡＭＰ３、Ａ／Ｄ４およびプロセス処理回路５を介して液晶表示装置１３に供給して動画を表示すると共に、制御用データとしてＡＥ１１およびＡＷＢ１２に供給してＡＥ制御およびＡＷＢ制御を１フレーム毎に交互に繰り返し行う。
【００５６】
この状態で、１ＲＳＷ１８ａがオンとなって第１トリガが発生したら、次のフレームからは、図６に示したｋライン非加算間引き読み出しモードを選択し、これによりＶＤに同期して１フレーム期間に２回のｋライン非加算間引き読み出しを行う。この実施形態では、このｋライン非加算間引き読み出しモードにおいて、最初にプロセス処理回路５から得られるｋ／ｍラインの画像データをＡＥ制御用データとして用いてＡＥ１１において中央重点測光によるＡＥ制御を行い、以後のｋライン非加算間引き読み出しで得られるｋ／ｍラインの画像データをＡＦ制御用データとして用いてＡＦ１０においてＡＦ制御を繰り返し行う。
【００５７】
上記の処理中に、２ＲＳＷ１８ｂがオンとなって第２トリガが発生したら、第１トリガ発生後のｋライン非加算間引き読み出しモードで読み出した画像データによるＡＥ制御に基づいて本露光を行い、次のフレームから図２（Ａ）に示すように全画面の全ラインについて順次走査を行って、プロセス処理回路５から得られる静止画像データをＤＲＡＭ９および圧縮伸長回路１５を経て圧縮して記録媒体１６に記録する。
【００５８】
この静止画像の記録が終了したら、次の撮影に備えるために、再びｎライン加算間引き読み出しモードを選択して、ＶＤに同期してｎライン加算間引き読み出しを行い、その動画データを液晶表示装置１３に供給して表示すると共に、制御用データとして用いてＡＥ制御およびＡＷＢ制御を１フレーム毎に交互に繰り返し行う。なお、ｋライン非加算間引き読み出しモードでは、中央部のｋ／ｍラインの間引き画像データしか得られないので、第１トリガが発生してから静止画記録が終了するまでの間は、第１実施形態と同様に、液晶表示装置１３への動画表示を一時的に中断する。
【００５９】
この実施形態によれば、第１トリガから第２トリガまでの期間においては、フレームレートの高いｋライン非加算間引き読み出しのみを行って、本露光のためのＡＥ制御およびＡＦ制御を行うようにしたので、この期間を第１実施形態におけるよりも短くできる。したがって、第１実施形態における効果に加え、レリーズタイムラグをより短縮できる利点がある。
【００６０】
また、ｋライン非加算間引き読み出しモードでは、ｍ＝３の各ライン群のうち３番目のラインの画素情報を取り出すことにより、ベイヤー配列の色フィルタを設けた場合に、ｋラインの部分において、図４に示したと同様に、Ｒの情報を含むライン（ＣＲ）出力とＢの情報を含むライン（ＣＢ）出力とを線順次で得ることができるので、Ｒの情報を含むラインとＢの情報を含むラインとで同時化処理を行ってライン情報を補間することにより、より適正なＡＥ制御を行うことも可能になる。
【００６１】
図８は、この発明の第３実施形態を説明するための図である。この実施形態の撮像装置の主要な構成は、図１と同様であるので、主として第１実施形態と異なる点について説明する。この実施形態では、被写体が低輝度で、ストロボ装置１９によりストロボを自動的に発光させて光量を補って静止画記録を行う場合や、ストロボ発光モードを選択して、強制的にストロボを発光させて静止画記録を行う場合に、適正露出となるストロボ発光量を求めるようにしたものである。
【００６２】
このため、この実施形態では、動画処理モードにおけるＣＣＤ１の読み出しモードとして、第１実施形態におけると同様に、ｎライン加算間引き読み出しモード、非加算間引き読み出しモード、およびｋラインｎライン加算間引き読み出しモードを設定して、これらの読み出しモードをレリーズボタンの操作に基づいて選択する。
【００６３】
すなわち、第１トリガが発生するまでは、図１４（Ａ）に示したｎライン加算間引き読み出しモードを選択し、これにより例えば１／６０秒の垂直同期信号（ＶＤ）に同期してｎライン加算間引き読み出しを行い、これによりプロセス処理回路５から得られる画像データを液晶表示装置１３に供給して動画を表示すると共に、制御用データとしてＡＥ１１およびＡＷＢ１２に供給してＡＥ制御およびＡＷＢ制御を１フレーム毎に交互に繰り返し行う。
【００６４】
この状態で、１ＲＳＷ１８ａがオンとなって第１トリガが発生したら、それまでのＡＥ制御結果、あるいはストロボ発光モードに基づいてストロボ装置１９によりストロボをプリ発光させてＣＣＤ１において蓄積動作を行わせ、その蓄積終了後の画素情報を次の１フレームで図２（Ｂ）に示した非加算間引き読み出しモードで読み出す。これによりプロセス処理回路５から得られる画像データは、ＡＥ１１に供給して、その画像データに基づいて本露光時のＡＥ演算を行って、ストロボ本発光の光量等を演算する。その後は、図１４（Ｂ）に示したｋラインｎライン加算間引き読み出しモードを選択し、これによりＶＤに同期して１フレーム期間に２回のｋラインｎライン加算間引き読み出しを行い、その各読み出し動作においてプロセス処理回路５から得られる画像データをＡＦ制御用データとしてＡＦ１０に供給してＡＦ制御を繰り返し行う。
【００６５】
上記の処理中に、２ＲＳＷ１８ｂがオンとなって第２トリガが発生したら、ストロボ装置１９により上記の非加算間引き読み出しモードによるＡＥ演算結果に基づくストロボ本発光光量でストロボを本発光させて、ＣＣＤ１の蓄積動作を実行し、その蓄積終了後の画素情報を、次のフレームから図２（Ａ）に示すように全画面の全ラインについて順次走査を行って読み出し、これによりプロセス処理回路５から得られる静止画像データをＤＲＡＭ９および圧縮伸長回路１５を経て圧縮して記録媒体１６に記録する。
【００６６】
この静止画像の記録が終了したら、次の撮影に備えるために、上述した実施形態と同様に、再びｎライン加算間引き読み出しモードを選択して、ＶＤに同期してｎライン加算間引き読み出しを行い、その動画データを液晶表示装置１３に供給して表示すると共に、制御用データとして用いてＡＥ制御およびＡＷＢ制御を１フレーム毎に交互に繰り返し行う。
【００６７】
以上のように、第３実施形態においては、ストロボを発光させて静止画像を記録する際に、第１トリガの発生によりストロボをプリ発光させ、それによる画素情報を非加算間引き読み出しモードで読み出して、その画素情報に基づいて本露光時のＡＥ演算を行い、これにより静止画記録時のストロボ本発光の光量を演算するようにしたので、第１実施形態における効果に加えて、静止画記録時におけるストロボ本発光量を適正露出となるように正確に制御することができる。
【００６８】
図９は、この発明の第４実施形態を説明するための図である。この実施形態の撮像装置の主要な構成は、図１と同様であるので、主として第１実施形態と異なる点について説明する。この実施形態では、第１実施形態において、動画処理モードにおけるｎライン加算間引き読み出しモード、非加算間引き読み出しモード、およびｋラインｎライン加算間引き読み出しモードを、ｍ＝４およびｎ＝２として行う。
【００６９】
すなわち、ｎライン加算間引き読み出しモードでは、図９（Ａ）に示すように、１ライン目からＬライン目までの全ラインに対して、１ライン目から４ライン目までの４ラインでは、例えばその中の奇数番目のラインである１ライン目と３ライン目とを加算して１ライン分の画素情報を得、次の５ライン目から８ライン目までの４ラインでは、その中の偶数番目のラインである６ライン目と８ライン目とを加算して１ライン分の画素情報を得る。同様にして、ｍ＝４の順次のライン群について、ライン群の中の奇数番目どうしのラインの加算と、偶数番目どうしのラインの加算とを交互に行って、それぞれ１ライン分の画素情報を得る。したがって、この場合、読み出されるライン数は、Ｌ／４となるので、全画素読み出す場合に比べて、フレームレートを４倍に向上できる。
【００７０】
このように加算間引き読み出しを行えば、ベイヤー配列の色フィルタが設けられている場合には、Ｒの情報を含むライン出力とＢの情報を含むライン出力とが繰り返し得られるので、色信号を線順次で得ることができる。
【００７１】
また、非加算間引き読み出しモードでは、図９（Ｂ）に示すように、１ライン目からＬライン目までの全ラインに対して、１ライン目から４ライン目までの４ラインでは、例えばその中の奇数番目のラインである例えば３ライン目を読み出し、次の５ライン目から８ライン目までの４ラインでは、その中の偶数番目のラインである例えば８ライン目を読み出す。同様にして、４ライン毎に、その中の奇数番目の一つのラインと、偶数番目の一つのラインとを交互に読み出す。したがって、この場合、読み出されるライン数は、Ｌ／４となるので、全画素読み出す場合に比べて、フレームレートを４倍に向上できる。
【００７２】
このような非加算間引き読み出しを行えば、ベイヤー配列の色フィルタが設けられている場合には、Ｒの情報を含むライン（ＣＲ）出力とＢの情報を含むライン（ＣＢ）出力とを線順次で得ることができる。
【００７３】
また、ｋラインｎライン加算間引き読み出しモードでは、図示しないが、垂直方向に一部連続するｋライン（好ましくは、画面中央部分）において、図９（Ａ）に示したｎライン加算間引き読み出しモードで画素情報を読み出す。したがって、この場合、読み出されるライン数は、ｋ／４となるので、全画素読み出す場合に比べて、フレームレートを４Ｌ／ｋ倍に向上することができる。
【００７４】
このようにして、第１実施形態と同様に、第１トリガが発生するまでは、図９（Ａ）に示すｎライン加算間引き読み出しモードで画素情報を読み出して、液晶表示装置１３に動画を表示すると共に、その読み出した画素情報に基づいてＡＥ制御およびＡＷＢ制御を１フレーム毎に交互に繰り返し行い、第１トリガが発生したら、次の１フレームでは図９（Ｂ）に示す非加算間引き読み出しモードを選択してＡＥ制御を行い、その後のフレームではｋラインｎライン加算間引き読み出しモードを選択してＡＦ制御を繰り返し行う。
【００７５】
その後、第２トリガが発生したら、第１トリガ発生後の非加算間引き読み出しモードでのＡＥ制御に基づいて本露光を行い、次のフレームから図２（Ａ）に示した全ラインについて順次走査を行って、静止画像データを記録媒体１６に圧縮して記録する。
【００７６】
この実施形態では、第１実施形態に対して、動画処理モードにおけるｎライン加算間引き読み出しモード、非加算間引き読み出しモード、およびｋラインｎライン加算間引き読み出しモードを、ｍ＝４およびｎ＝２として行うようにしたので、第１実施形態におけるよりも動画処理モードでのフレームレートを向上することができると共に、レリーズタイムラグを短縮することができる。
【００７７】
なお、この実施形態においても、図９（Ａ）に示すように、ｎライン加算間引き読み出しモードにおいては、ベイヤー配列の色フィルタを設けた場合に、Ｒの情報を含むライン（ＣＲ）出力とＢの情報を含むライン（ＣＢ）出力とを線順次で得ることができるので、ＣＲラインとＣＢラインとで同時化処理を行ってライン情報を補間することにより、読み出しライン数が少なくても液晶表示装置１３に画質の良好な画像を表示することができる。同様に、図９（Ｂ）に示す非加算間引き読み出しモードでも、ベイヤー配列の色フィルタを設けた場合に、ＣＲラインとＣＢラインとを線順次で得ることができるので、同時化処理を行ってライン情報を補間することにより、より適正なＡＥ制御を行うことができる。
【００７８】
図１０および図１１は、本発明の撮像装置に関連する参照例を説明するための図である。この参照例の撮像装置の主要な構成は、図１と同様であるので、主として第１実施形態と異なる点について説明する。この参照例では、第１実施形態において、動画処理モードで本露光のＡＥ制御を行うためのＣＣＤ１の読み出しモードを、図１０に示すように、垂直方向のｍ＝３ラインについてｎ＝２ラインを加算して取り出すモードと、ｍ＝３ラインについて１ラインを取り出すモードとを混合した加算・非加算間引き読み出しモードとする。
【００７９】
すなわち、１ライン目からＬライン目までの全ラインに対して、１ライン目から３ライン目までの３ラインでは、その中の１番目のラインである１ライン目と３番目のラインである３ライン目とを加算して１ライン分の画素情報を得、４ライン目から６ライン目までの３ラインでは、同様にその中の１番目のラインである４ライン目と３番目のラインである６ライン目とを加算して１ライン分の画素情報を得る。次の７ライン目から９ライン目までの３ラインでは、加算することなくその中の３番目のラインである９ライン目から１ライン分の画素情報を得、１０ライン目から１２ライン目までの３ラインでは、同様に加算することなくその中の３番目のラインである１２ライン目から１ライン分の画素情報を得る。以後、同様にして、ｍ＝３の順次の２つのライン群毎に、１番目のラインと３番目のラインとの加算間引き読み出しと、３番目のラインのみの読み出しとを交互に行って、それぞれ１ライン分の画素情報を得る。したがって、この場合、読み出されるライン数は、Ｌ／３となるので、全画素読み出す場合に比べて、フレームレートを３倍に向上できる。なお、この加算・非加算間引き読み出しモードで取り出した画像データに基づいて本露光のためのＡＥ制御を行うにあたっては、取り出したデータのうち、加算間引き読み出しデータに対しては、ｎライン加算間引き読み出しモードでＡＥ制御を行う場合と同様に、その画素データを１／２する処理を行って、１画素のデータとして扱う。
【００８０】
このようにして、この参照例では、図１１に示すように、第１トリガが発生するまでは、図１４（Ａ）に示したｎライン加算間引き読み出しモードで画素情報を読み出して、液晶表示装置１３に動画を表示すると共に、その読み出した画素情報に基づいてＡＥ制御およびＡＷＢ制御を１フレーム毎に交互に繰り返し行い、第１トリガが発生したら、次の１フレームでは図１０に示す加算・非加算間引き読み出しモードを選択してＡＥ制御を行い、その後のフレームでは図１４（Ｂ）に示したｋラインｎライン加算間引き読み出しモードを選択してＡＦ制御を繰り返し行う。
【００８１】
その後、第２トリガが発生したら、第１トリガ発生後の加算・非加算間引き読み出しモードでのＡＥ制御に基づいて本露光を行い、次のフレームから図２（Ａ）に示した全ラインについて順次走査を行って、静止画像データを記録媒体１６に圧縮して記録する。
【００８２】
この参照例によれば、本露光のためのＡＥ制御において、加算・非加算間引き読み出しモードで読み出したデータのうち、加算間引き読み出し部分のデータについては、１／２する処理が必要となり、第１実施形態におけるよりも若干処理が複雑になるが、この部分のデータは、第１トリガ以前のｎライン加算間引き読み出しモードで読み出したデータとの相関性が高いので、光源のフリッカ等の処理に有効な情報となり、また、非加算間引き読み出し部分のデータは、ＣＣＤ１の転送効率の低下による影響を受けないので、全体としてより適正なＡＥで静止画像を撮像することができる。
【００８３】
なお、この参照例においても、ベイヤー配列の色フィルタが設けられている場合には、加算・非加算間引き読み出しモードで色信号を線順次で得ることができるので、ＣＲラインとＣＢラインとで同時化処理を行ってライン情報を補間することにより、より適正なＡＥ制御を行うことも可能である。
【００８４】
なお、この発明は、上述した実施形態にのみ限定されるものではなく、幾多の変形または変更が可能である。例えば、第１〜３実施形態および参照例では、動画処理モードにおける加算間引き読み出しおよび非加算間引き読み出しのライン群を３ライン（ｍ＝３）としたが、ｍ＝２α＋１（αは正の整数）の任意の奇数ラインとして、色信号を線順次で取り出すようにすることもできる。同様に、第４実施形態においても、ｍ＝４に限らず、ｍ＝２ｐ（ｐ≧２、ｐは整数）の任意の偶数ラインとして、色信号を線順次で取り出すようにすることもできる。また、参照例における加算・非加算間引き読み出しモードは、ｍ＝２α＋１の奇数ラインのライン群に限らず、ｍ＝２ｐ（ｐ≧２、ｐは整数）の偶数ラインのライン群として、色信号を線順次で取り出すようにすることもできる。
【００８５】
さらに、第２，第４実施形態および参照例においても、ストロボを発光させて静止画像を記録する場合には、３実施形態と同様にしてストロボ本発光量を適正露出となるように制御することもできる。
【００８６】
また、第１実施形態、第３〜４実施形態および参照例では、第１トリガ後のＡＦ制御を、ｋラインｎライン加算間引き読み出しモードで読み出した画素情報に基づいて行うようにしたが、このＡＦ制御を第２実施形態と同様に、ｋライン非加算間引き読み出しモードで画素情報を読み出して行うようにすることもできる。このようにすれば、フレームレートをより向上することができるので、レリーズタイムラグをより短縮することができる。
【００８７】
さらに、第１実施形態、第３〜４実施形態および参照例では、第１トリガ後に２種の読み出しモードを順次切り替えてＡＥ制御およびＡＦ制御を行うようにしたが、第２実施形態と同様に、同じ読み出しモードで、すなわち第１，第３および第４実施形態では非加算間引き読み出しモードで、参照例では加算・非加算間引き読み出しモードで、読み出した画素情報に基づいてＡＥ制御およびＡＦ制御を行うようにすることもできる。
【００８８】
また、第１〜第４実施形態、参照例および上記の変形例で説明した動画処理モードでの各種の読み出しモードを適宜組み合わせることも可能でのある。
【００８９】
さらに、上述したように、第１トリガ発生後に全ラインに対して非加算間引き読み出し、あるいは加算・非加算間引き読み出しを行って本露光のためのＡＥ制御を行う場合において、色信号が線順次で得られる場合には、同時化処理を行うことにより全ての色信号を含む画像データを得ることができるので、それを液晶表示装置１３に表示することもできる。
【００９０】
また、上述した実施形態、参照例および変形例では、本露光のためのＡＥ制御を第１トリガが発生した直後に行うようにしたが、第１トリガ発生後の任意のタイミングで、例えば、第１トリガでＡＦ制御が実行される場合には、ＡＦ制御の終了直後に、あるいは第２トリガの発生直後に行うようにすることもできる。
【００９１】
さらに、以上の説明では、第１トリガ発生後の非加算間引き読み出し、ｋライン非加算間引き読み出し、あるいは加算・非加算間引き読み出しによって本露光のためのＡＥ制御を行うようにしたが、このＡＥ制御に代えてＡＷＢ制御を行ったり、ＡＥ制御とＡＷＢ制御とを同時に、あるいは交互に行うようにすることもできる。
【００９２】
【発明の効果】
本願請求項１、２に係る発明によれば、撮像素子から画素情報を間引きして加算して読み出した画素情報に基づいて動画表示を行い、複数ライン毎に１ライン間引きして読み出した画素情報に基づいて測光を行うようにしたので、レリーズタイムラグを短くできると共に、適正なＡＥ制御をを行うことが可能となる。また 、本願請求項３に係る発明によれば、撮像素子から画素情報を間引きして加算して読み出した画素情報に基づいて動画表示を行い、撮像素子の一部連続するラインから複数ライン毎に１ライン間引きして読み出した画素情報に基づいて測光とオートフォーカスを行うようにしたので、レリーズタイムラグを短くできると共に、適正なＡＥ制御をを行うことが可能となる。
【図面の簡単な説明】
【図１】この発明の第１実施形態の構成を示すブロック図である。
【図２】第１実施形態における順次走査の読み出しモード、および非加算間引き読み出しモードを説明するための図である。
【図３】第１実施形態における非加算間引き読み出しモードでの読み出し動作を説明するための図である。
【図４】図３に示す非加算間引き読み出しモードで得られる線順次の色信号を説明するための図である。
【図５】第１実施形態の動作を説明するための図である。
【図６】この発明の第２実施形態におけるｋライン非加算間引き読み出しモードを説明するための図である。
【図７】第２実施形態の動作を説明するための図である。
【図８】この発明の第３実施形態の動作を説明するための図である。
【図９】この発明の第４実施形態におけるｎライン加算間引き読み出しモード、および非加算間引き読み出しモードを説明するための図である。
【図１０】この発明の撮像装置に関連する参照例における加算・非加算間引き読み出しモードを説明するための図である。
【図１１】参照例の動作を説明するための図である。
【図１２】この発明に係る撮像装置に使用可能な撮像素子としてのＣＣＤの一例の構成を示す図である。
【図１３】図１２に示すＣＣＤに用いられる色フィルタの一例を示す図である。
【図１４】この発明に係る撮像装置に適用可能なｎライン加算間引き読み出しモード、およびｋラインｎライン加算間引き読み出しモードを説明するための図である。
【図１５】図１４に示す加算間引き読み出しモードでの読み出し動作を説明するための図である。
【図１６】図１４に示す加算間引き読み出しモードで得られる線順次の色信号を説明するための図である。
【図１７】本出願人の先の提案に係る撮像装置の動作を説明するための図である。
【符号の説明】
１ ＣＣＤ
２ 相関二重サンプリング回路（ＣＤＳ）
３ ゲインコントロールアンプ（ＡＭＰ）
４ アナログデジタル変換器（Ａ／Ｄ）
５ プロセス処理回路
６ タイミングジェネレータ（ＴＧ）
７ シグナルジェネレータ（ＳＧ）
８ ＣＰＵ
９ ＤＲＡＭ
１０ オートフォーカス回路（ＡＦ）
１１ 自動露出制御回路（ＡＥ）
１２ オートホワイトバランス回路（ＡＷＢ）
１３ 液晶表示装置
１４ 外部表示用端子
１５ 圧縮伸長回路
１６ 記録媒体
１７ レンズおよび絞り
１８ａ ファーストレリーズスイッチ（１ＲＳＷ）
１８ｂ セカンドレリーズスイッチ（２ＲＳＷ）
１９ ストロボ装置
２１ フォトダイオード
２２ トランスファーゲート
２３ 垂直シフトレジスタ
２４ 水平シフトレジスタ
２５ 信号検出器
【図１】
0004311776.tif 000002
【図２】
0004311776.tif 000003
【図３】
0004311776.tif 000004
【図４】
0004311776.tif 000005
【図５】
0004311776.tif 000006
【図６】
0004311776.tif 000007
【図７】
0004311776.tif 000008
【図８】
0004311776.tif 000009
【図９】
0004311776.tif 000010
【図１０】
0004311776.tif 000011
【図１１】
0004311776.tif 000012
【図１２】
0004311776.tif 000013
【図１３】
0004311776.tif 000014
【図１４】
0004311776.tif 000015
【図１５】
0004311776.tif 000016
【図１６】
0004311776.tif 000017
【図１７】
0004311776.tif 000018